(57)【要約】【課題】反射部材の取り付けおよび取り外しを容易に行うことができる植物栽培装置を提供する。【解決手段】植物栽培装置1は、仮想直方体状の栽培領域の４つの側面のうち少なくとも１つの側面に反射部材13が、前記側面を塞ぐように少なくとも１つ配置されている。反射部材13は、灯具の光を反射させる反射面が栽培領域内側に向けられて上下方向に並列状に配置された複数の反射板14,15からなって、上下に隣り合う反射板14,15どうしが連結されることにより構成されている。反射板14,15どうしの連結は、水平方向にのびたスリット状の差込口14bが一方の反射板14,15に形成され、前記差込口14bに差し込まれたときに加重による抜けが阻止される方向に凸となった差込片14a,15aが他方の反射板14,15に形成され、前記差込片14a,15aが前記差込口14bに差し込まれて係止されることによりなされている。【選択図】図３
2018061442.tif 000002
【特許請求の範囲】
【請求項１】
複数の支柱、隣り合う支柱間に設けられた横桟、ならびに支柱および横桟を利用して設けられかつ植物が植えられた栽培槽を載せる載置部を有する栽培ラックと、載置部の上方に間隔をおいて栽培ラックに配置され、かつ人工光源を用いた灯具を有する照明装置とを備えており、載置部上に、栽培槽および栽培槽に植えられた植物を囲むように仮想直方体状の栽培領域が設けられている植物栽培装置であって、
仮想直方体状の栽培領域の４つの側面のうち少なくとも１つの側面に反射部材が、前記側面を塞ぐように少なくとも１つ配置され、
反射部材は、灯具の光を反射させる反射面が栽培領域内側に向けられて上下方向に並列状に配置された複数の反射板からなって、上下に隣り合う反射板どうしが連結されることにより構成されており、
反射板どうしの連結は、水平方向にのびたスリット状の差込口が一方の反射板に形成され、前記差込口に差し込まれたときに加重による抜けが阻止される方向に凸となった差込片が他方の反射板に形成され、前記差込片が前記差込口に差し込まれて係止されることによりなされている、植物栽培装置。
【請求項２】
栽培ラックの横桟に、反射部材を取り付ける取付板が固定されており、前記取付板および前記反射部材を構成する上端の反射板のいずれか一方に前記差込片が形成され、他方に前記差込口が形成されている、請求項１記載の植物栽培装置。
【請求項３】
上下に隣り合う反射板のうち上側の反射板の中央部より左右両側に、前記差込口が少なくとも１つ形成され、下側の反射板の中央部より左右両側に、前記差込口に対応した前記差込片が下方に凸となって形成されている、請求項１または２に記載の植物栽培装置。
【請求項４】
上下に隣り合う反射板のうち上側の反射板において、前記差込口が上下方向に間隔をおいて複数設けられている、請求項３に記載の植物栽培装置。
【発明の詳細な説明】
【技術分野】
【０００１】
この発明は植物栽培装置に関し、さらに詳しくは、たとえばＬＥＤ照明装置を使用し、かつ植物工場、野菜工場、育苗装置などにおいて好適に使用される植物栽培装置に関する。
【０００２】
この明細書および特許請求の範囲において、図１の上下を上下といい、左右を左右というものとし、図２の左を前、右を後というものとする。
【背景技術】
【０００３】
ＬＥＤ照明装置を用いた植物栽培装置として、複数の支柱、隣り合う支柱間に設けられた横桟、ならびに支柱および横桟を利用して設けられかつ植物が植えられた栽培槽を載せる載置部を有する栽培ラックと、載置部の上方に間隔をおいて栽培ラックに配置され、かつ人工光源を用いた灯具を有する照明装置とを備えており、載置部上に、栽培槽および栽培槽に植えられた植物を囲むように仮想直方体状の栽培領域が設けられており、植物に照射される光量子束密度を均一化するために、仮想直方体状の栽培領域の４つの側面のうち少なくとも１つの側面に、当該側面の全高にわたる板状の反射部材が配置されているものが知られている（特許文献１参照）。
【０００４】
しかしながら、特許文献１記載の植物栽培装置においては、反射部材は、栽培領域における反射部材を取り付けるべき側面の全高にわたる板状であるから、反射部材の取り付け作業および取り外し作業が面倒である。
【先行技術文献】
【特許文献】
【０００５】
【特許文献１】特開２０１５―１１９６６０号公報
【発明の概要】
【発明が解決しようとする課題】
【０００６】
この発明は、上記問題を解決し、反射部材の取り付けおよび取り外しを容易に行うことができる植物栽培装置を提供することを目的とする。
【課題を解決するための手段】
【０００７】
本発明は、上記目的を達成するために以下の態様からなる。
【０００８】
１）複数の支柱、隣り合う支柱間に設けられた横桟、ならびに支柱および横桟を利用して設けられかつ植物が植えられた栽培槽を載せる載置部を有する栽培ラックと、載置部の上方に間隔をおいて栽培ラックに配置され、かつ人工光源を用いた灯具を有する照明装置とを備えており、載置部上に、栽培槽および栽培槽に植えられた植物を囲むように仮想直方体状の栽培領域が設けられている植物栽培装置であって、仮想直方体状の栽培領域の４つの側面のうち少なくとも１つの側面に反射部材が、前記側面を塞ぐように少なくとも１つ配置され、反射部材は、灯具の光を反射させる反射面が栽培領域内側に向けられて上下方向に並列状に配置された複数の反射板からなって、上下に隣り合う反射板どうしが連結されることにより構成されており、反射板どうしの連結は、水平方向にのびたスリット状の差込口が一方の反射板に形成され、前記差込口に差し込まれたときに加重による抜けが阻止される方向に凸となった差込片が他方の反射板に形成され、前記差込片が前記差込口に差し込まれて係止されることによりなされている、植物栽培装置。
【０００９】
２）栽培ラックの横桟に、反射部材を取り付ける取付板が固定されており、前記取付板および前記反射部材を構成する上端の反射板のいずれか一方に前記差込片が形成され、他方に前記差込口が形成されている、上記１）記載の植物栽培装置。
【００１０】
３）上下に隣り合う反射板のうち上側の反射板の中央部より左右両側に、前記差込口が少なくとも１つ形成され、下側の反射板の中央部より左右両側に、前記差込口に対応した前記差込片が下方に凸となって形成されている、上記１）または２）に記載の植物栽培装置。
【００１１】
４）上下に隣り合う反射板のうち上側の反射板において、前記差込口が上下方向に間隔をおいて複数設けられている、上記３）に記載の植物栽培装置。
【発明の効果】
【００１２】
上記１）〜４）の植物栽培装置によれば、仮想直方体状の栽培領域の４つの側面のうち少なくとも１つの側面に反射部材が、前記側面を塞ぐように少なくとも１つ配置され、反射部材は、灯具の光を反射させる反射面が栽培領域内側に向けられて上下方向に並列状に配置された複数の反射板からなって、上下に隣り合う反射板どうしが連結されることにより構成されており、反射板どうしの連結は、水平方向にのびたスリット状の差込口が一方の反射板に形成され、前記差込口に差し込まれたときに加重による抜けが阻止される方向に凸となった差込片が他方の反射板に形成され、前記差込片が前記差込口に差し込まれて係止されることによりなされているので、仮想直方体状の栽培領域の４つの側面のうち少なくとも１つの側面への反射部材の取り付けおよび取り外しの際に、前記側面の全高よりも幅の狭い反射板を１枚ずつ取り扱うことができ、反射部材の取り付け作業および取り外し作業が容易になる。
【００１３】
また、差込口と差込片とを利用して反射板どうしを連結することができるので、複数枚の反射板が上下方向に連結されて反射部材が構成され、反射部材を構成する一部の反射板を取り外すことが可能になり、栽培領域の反射部材が取り付けられた側面の一部を開放することができる。
【００１４】
しかも、複数の反射板を連結する際に別個に連結部品を用意する必要はないので、部品点数を減らすことができるとともに、連結部品が落下するおそれはない。
【００１５】
上記４）の植物栽培装置によれば、上下に隣り合う反射板のうち上側の反射板において、前記差込口が上下方向に間隔をおいて複数設けられているので、栽培領域内の状態を確認する際、下側の反射板を取り外して、上側の反射板における最上位の差込口に下側の反射板の差込片を差し込むと、上側の反射板に下側の反射板を吊下げることができ下側の反射板の置き場所のスペースが不要となる。
【００１６】
また、反射板には上下方向に複数の差込口が設けられているので、上側の反射板に対する下側の反射板の取り付け位置を変えることができ、植物の成長に合わせて、栽培領域の開放および閉鎖の調整が可能となる。
【図面の簡単な説明】
【００１７】
【図１】この発明の植物栽培装置を示す正面図である。
【図２】図１の植物栽培装置の全体構成を示す右側面図である。
【図３】この発明の植物栽培装置の要部を示す図１の部分拡大図である。
【図４】この発明の植物栽培装置に用いられる反射部材を示す正面図である。
【図５】この発明の植物栽培装置に用いられる反射部材の変形例を示す正面図である。
【発明を実施するための形態】
【００１８】
以下、この発明の実施形態を、図面を参照して説明する。この実施形態は、この発明による植物栽培装置を植物の水耕栽培に適用したものである。
【００１９】
以下の説明において、「アルミニウム」という用語には、純アルミニウムの他にアルミニウム合金を含むものとする。
【００２０】
また、全図面を通じて同一物および同一部分には同一符号を付して重複する説明を省略する。
【００２１】
図１から図３において、植物栽培装置(1)は、水耕栽培用の栽培槽(3)を載せる複数の載置部(4)が上下方向に間隔をおいて設けられた栽培ラック(2)と、例えば直管型のＬＥＤ灯具などの光源を有し、かつ載置部(4)の上方に間隔をおいて配置された照明装置(5)とを備えている。この実施形態においては、栽培ラック(2)の前面および後面が作業者が向き合う作業面となっている。
【００２２】
栽培ラック(2)は、前後方向に間隔を置いて配置されたアルミニウム押出形材製の２つの垂直状支柱(7)（縦材）からなる支柱組(6)を、左右方向に間隔をおいて少なくとも２組、ここでは２組備えている。各支柱(7)の下端は、栽培ラック(2)が設置される床面に固定されている。また、左右方向に隣り合う支柱組(6)の前後の支柱(7)どうしの間に、それぞれ長手方向を左右方向に向けた複数のアルミニウム押出形材製第１横桟(8)（横材）が上下方向に間隔をおいて配置されるとともにその左右両端部が支柱(7)に固定されている。また、各支柱組(6)の前後両支柱(7)(7)間における第１横桟(8)と同一高さ位置に、長手方向を前後方向に向けた複数のアルミニウム押出形材製第２横桟(9)（横材）が配置されるとともにその前後両端部が支柱(7)に固定されている。上下方向に隣接する前後の第１横桟(8)の左右方向中央部間に、垂直状のアルミニウム押出形材製補強部材(10)（縦材）が配置されており、上下両端部が第１横桟(8)に固定されている。また、補強部材(10)の真下の位置において、栽培ラック(2)における下端の第１横桟(8)の左右方向中央部に、当該第１横桟(8)と床面との間に突っ張る垂直状のアルミニウム押出形材製固定つか(12)（縦材）が下方突出状に固定されている。
【００２３】
栽培ラック(2)の載置部(4)は、上端の第１および第２横桟(8)(9)を除いた第１および第２横桟(8)(9)を利用して、左右方向に隣り合う支柱組(6)どうしの間に設けられている。
【００２４】
栽培槽(3)は、平面から見て左右方向に長い方形状でかつ上方に開口しており、栽培ラック(2)の各載置部(4)に１つずつ載せられ、水分や栄養分を含む水耕栽培用養液を貯留するようになっている。栽培槽(3)は、ＡＢＳ樹脂、ポリカーボネート、ポリ塩化ビニルなどの合成樹脂を用いて成形されている。栽培層(3)の上端開口は、植物を栽培する栽培床（図示略）によって塞がれている。
【００２５】
また、図示は省略したが、植物栽培装置(1)は、養液タンク、養液供給管および養液タンク内の養液を養液供給管を通して栽培槽(3)に供給するポンプを有する養液供給装置を備えている。
【００２６】
照明装置(5)は、左右両支柱組(6)の支柱(7)と補強部材(10)との間において、載置部(4)の上方に配置されており、左右両支柱組(6)の支柱(7)と補強部材(10)との間において栽培ラック(2)に設けられた支持部(11)により支持されている。
【００２７】
各載置部(4)上には、栽培槽(3)および栽培槽(3)に植えられた植物を囲むように、左右方向に隣り合う支柱組(6)の前後の支柱(7)と、上下方向に並んだ第１横桟(8)と、上下方向に並んだ第２横桟(9)とにより形成された６つの仮想壁で囲まれた左右方向に長い仮想直方体状の栽培領域が設けられている。
【００２８】
図１に示すように、載置部(4)上に設けられた仮想直方体状の栽培領域の前側面に複数、ここでは４つの反射部材(13)が左右方向に並べられて設けられている。また、載置部(4)に設けられた仮想直方体状の栽培領域の後側面に複数、ここでは４つの反射部材(13)が左右方向に並べられて設けられている。この実施形態において、反射部材(13)は、３枚の合成樹脂製反射板(14)(15)が上下方向に並べられて構成されている。
【００２９】
反射板(14)(15)の栽培領域側に向いた面は、ＬＥＤ灯具の光を栽培領域内へ反射させる反射面となっている。また、載置部(4)に設けられた仮想直方体状の栽培領域の左右両側面にも反射部材(13)を設けてもよい。
【００３０】
この実施形態において、載置部(4)に設けられた仮想直方体状の栽培領域の前側面および後側面が、栽培作業を行う作業者が向き合う側面となっている。
【００３１】
下端の第１横桟(8)を除いた他の第１横桟(8)に、反射部材(13)を取り付ける複数の合成樹脂製取付板(16)が前後方向に間隔をおいて固定されている。取付板(16)の栽培領域側に向いた面は、ＬＥＤ灯具の光を栽培領域内へ反射させる反射面とされていてもよい。
なお、反射板(14)(15)と取付板(16)は、合成樹脂製に限られない。
【００３２】
図４（ａ）に、第１横桟(8)に固定されている取付板(16)が示されている。同図（ａ）に示すように、取付板(16)の中央部より左右両側に、水平方向に切り欠いたスリット状の差込口(16a)が１カ所ずつ形成されている。取付板(16)には、差込口(16a)の上部に貫通孔(16b)があけられ、取付板(16)の差込口(16a)と第１横桟(8)とが重ならないように第１横桟(8)の下方へ突出して、貫通孔(16b)を介してリベットなどの着脱可能な締結材で固定されている。
【００３３】
同図（ｂ）に、最下端の反射板(15)を除いた反射板(14)が示されている。同図（ｂ）に示すように、反射板(14)の中央部より左右両側に、下方に凸となるように略Ｕ字状に切り欠いて差込片(14a)が、１カ所ずつ形成されており、差込片(14a)の下側に水平方向に切り欠いたスリット状の差込口(14b)が、上下方向に間隔をおいて３か所ずつ形成されている。
【００３４】
同図（ｃ）に、反射部材(13)の最下端に位置する反射板(15)が示されている。同図（ｃ）に示すように、反射板(15)の中央部より左右両側に、下方に凸となるように略Ｕ字状に切り欠いて差込片(15a)が、１カ所ずつ形成されている。
【００３５】
取付板(16)および反射板(14)に形成された左側の差込口(14b)(16a)および反射板(14)(15)に形成された左側の差込片(14a)(15a)は上下方向にのびた同一軸線上に形成されており、取付板(16)および反射板(14)に形成された右側の差込口(14b)(16a)および反射板(14)(15)に形成された右側の差込片(14a)(15a)は上下方向にのびた同一軸線上に形成されている。
【００３６】
図１に示した植物栽培装置(1)に設けられた反射部材(13)は、図４（ａ）の取付板(16)と同図（ｃ）の反射板(15)との間に、同図（ｂ）の反射板(14)が上下方向に２枚並べられて構成されている。
【００３７】
上述した植物栽培装置(1)において、取付板(16)が設けられた栽培ラック(2)への反射部材(13)の取り付けは、次のようにして行われる。
【００３８】
作業者が反射板(14)の差込片(14a)を押して後斜め下方に傾斜させるとともに、差込片(14a)の先端から取付板(16)の差込口(16a)へ差し込んでいく。差込片(14a)は、加重による抜けが阻止される方向に凸となっているので、差込口(16a)に係止されて作業者が反射板(14)から手を放しても取付板(16)から反射板(14)が脱落することはない。次に、反射部材(13)を構成する図４（ｃ）に示した最下端の反射板(15)を取り付けるには、上述した反射板(14)の取り付け作業と同様に、作業者が反射板(15)の差込片(15a)を押して後斜め下方に傾斜させるとともに、差込片(15a)の先端から反射板(14)の差込口(14b)へ差し込んでいく。このようにして、反射板(14)(15)どうしを連結する。
【００３９】
反射部材(13)の上下方向の長さが足りず、栽培領域における反射部材(13)を取り付けるべき側面を塞ぐことができない場合は、取付板(16)と最下端となる反射板(15)との間に、図４（ｂ）に示した反射板(14)を必要枚数追加して取り付けると栽培領域における反射部材(13)を取り付けるべき側面を塞ぐことができる。
【００４０】
このように、複数の反射板(14)を連結することにより反射部材(13)を取付板(16)に取り付けることができる。
【００４１】
反射部材(13)が取り付けられた後に、反射部材(13)を構成する一部の反射板(14)(15)を取り外すことによって、反射部材(13)が取り付けられた栽培領域の側面の一部を開放することができる。また、一方の反射板(14)の差込片(14a)(15a)を差し込む他方の反射板(14)の差込口(14b)を変えることにより、栽培領域の側面を開放する大きさを変えることができる。
【００４２】
反射板(14)(15)を取り外す際は、反射板(14)(15)を上方に持ち上げると差込片(14a)(15a)が差込口(14b)(16a)から引き抜かれるので、反射板(14)(15)を容易に取り外すことができる。
【００４３】
このようにして、栽培領域の側面の全高よりも幅の狭い反射板(14)(15)を１枚ずつ取り扱うので、反射部材(13)の取り付け作業および取り外し作業が容易となる。
【００４４】
また、例えば、反射部材(13)を構成する最下端の反射板(15)を取り外した場合、上側の反射板(14)における最上位の差込口(14b)に、最下端の反射板(15)の差込片(15a)を差し込むと最下端の反射板(15)を置くスペースが不要となる。また、相対的に上側となる反射板(14)に複数の差込口(14b)が形成されていると、下側となる反射板(14)(15)の差込片(14a)(15a)の差し込み位置によって、下側の反射板(14)(15)の取り付け高さを変更することができるので、植物の成長に合わせて栽培領域の開放および閉鎖の調整が可能となる。
【００４５】
図５に、図１の植物栽培装置(1)に用いられる反射部材(13)を構成する反射板(14)(15)の他の実施形態を示す。
【００４６】
図５（ａ）に、第１横桟(8)に固定されている取付板(17)が示されている。同図（ａ）に示すように、取付板(17)の中央部より左右両側に、水平方向に切込みが入れられたスリット状の差込口(17a)が１カ所ずつ形成されている。取付板(17)は、差込口(17a)の上部に貫通孔(17b)があけられ、取付板(17)の差込口(17a)と第１横桟(8)とが重ならないように第１横桟(8)の下方へ突出して、貫通孔(17b)を介してリベットなどの着脱可能な締結材で固定される。
【００４７】
同図（ｂ）に、取付板(17)に取り付けられる反射板(18)が示されている。同図（ｂ）に示すように、反射板(18)の中央部より左右両側に、下方に凸となるように略Ｕ字状に切込みが入れられて差込片(18a)が、１カ所ずつ形成されており、差込片(18a)の下側に水平方向に切込みが入れられたスリット状の差込口(18b)が、上下方向に間隔をおいて３か所ずつ形成されている。
【００４８】
同図（ｃ）に、反射部材(13)の最下端に位置する反射板(19)が示されている。同図（ｃ）に示すように、反射板(19)の中央部より左右両側に、下方に凸となるように略Ｕ字状に切込みが入れられて差込片(19a)が、１カ所ずつ形成されている。
【００４９】
差込片(18a)(19a)の基部の両端部には、差込片(18a)(19a)が良好に後斜め下方に傾斜するように、円形の貫通孔(20)が形成されており、差込口(17a)(18b)の両端部には、差込片(18a)(19a)が良好に差し込まれるように、円形の貫通孔(21)が形成されている。
【００５０】
この実施形態においても、作業者が反射板(18)(19)の差込片(18a)(19a)を押して後斜め下方に傾斜させるとともに、差込片(18a)(19a)の先端から反射板(18)の差込口(18b)へ差し込んでいくことにより、反射板(18)(19)どうしを連結することができる。
【産業上の利用可能性】
【００５１】
この発明による植物栽培装置は、照明装置を人工光源とする植物工場、野菜工場、育苗装置などにおいて好適に用いられる。
【符号の説明】
【００５２】
(1)：植物栽培装置
(2)：栽培ラック
(3)：栽培槽
(4)：載置部
(5)：照明装置
(7)：支柱
(8)：第１横桟
(9)：第２横桟
(13)：反射部材
(14)(15)：反射板
(14b)(16a)(17a)(18b)：差込口
(14a)(15a)(18a)(19a)：差込片
【図１】
2018061442.tif 000003
【図２】
2018061442.tif 000004
【図３】
2018061442.tif 000005
【図４】
2018061442.tif 000006
【図５】
2018061442.tif 000007